(57)【特許請求の範囲】
【請求項１】
モータハウジングと、ロータ本体およびこれに装着されたロータマグネットを備え、前記モータハウジングに対して相対的に回転自在であるロータと、前記ロータマグネットに対向して配設されたステータと、モータを収容する装置に前記モータハウジングを移動自在に所定方向へ案内するための３個以上のピンと、を具備するモータにおいて、
前記モータハウジングは、金属製のハウジング本体と、該ハウジング本体に装着される円環状のリングから構成され、前記３個以上のピンは、前記リングに周方向に均等に設けられ且つ合成樹脂の一体成形により形成されていることを特徴とするモータ。
【請求項２】
前記ハウジング本体の上端部には半径方向外方に突出する環状フランジが設けられているとともに、該環状フランジの下側に環状凹部が設けられており、一方、前記リングは、前記ハウジング本体に装着されるリング本体を有し、該リング本体には、前記複数個のピンの各々に対応して、上方に突出する位置決め突部が設けられているとともに、隣接する位置決め突部の間に半径方向内方に突出する係合爪が設けられており、前記位置決め突部が前記フランジに当接するとともに、前記係合爪が前記環状凹部に係合することを特徴とする請求項１記載のモータ。
【請求項３】
前記リング本体には、前記複数個のピンの各々に対応して、半径方向の肉厚が厚い厚肉部が設けられており、一方、ハウジング本体には、前記厚肉部を収容するための収容凹部が設けられていることを特徴とする請求項２記載のモータ。
【発明の詳細な説明】
【０００１】
【発明の技術分野】
本発明は、モータハウジングを所定方向に案内するためのピンを備えたモータに関する。
【０００２】
【従来の技術】
リムーバブル式磁気ディスク駆動装置に用いられるスピンドルモータとして、たとえば、図４に示す構造のものが知られている。図４に示すモータは、モータハウジング２とこのモータハウジング２に対して回転されるロータ４を有している。ハウジング２は、円形状の本体部６と、本体部６の外周部に設けられた外周壁８と、本体部６の内周部に設けられた内周壁１０を有している。内周壁１０の内周面には、一対の軸受１２，１４を介して軸部材１６が回転自在に支持され、軸部材１６の一端部にスリーブ部材１８を介してロータ４が装着されている。ロータ４は、カップ状のロータ本体２０を有し、ロータ本体２０の内周面にはロータマグネット２２が装着され、またロータ本体２０の上端壁部にはクランプマグネット２４が取付けられている。情報が記録される磁気ディスクは、クランプマグネット２４に磁気的に吸引され、ロータ４と一体的に所定方向に回動される。ロータマグネット２２に対向してステータ２６が配設され、このステータ２６がハウジング２の内周壁１０に取付けられている。
【０００３】
上述したモータは、着脱自在に装着される磁気ディスクの装着、離脱に関連して記録位置と非記録位置との間を移動自在に磁気ディスク駆動装置に組付けられる。モータがこのように組付けられることに関連して、モータハウジング２の外周壁８には、周方向に間隔を置いて複数個（たとえば３個）のピン２８が設けられている。かかるピン２８は、磁気ディスク駆動装置側に設けられた案内機構のスリット（図示せず）に挿入され、モータハウジング２、したがってモータを記録位置と非記録位置との間を上記スリットと協働して案内するとともに、案内機構に対するモータハウジング２の相対的回動を防止する。
【０００４】
【発明が解決しようとする課題】
しかしながら、従来のこの種のモータには、次のとおりの解決すべき問題が存在する。すなわち、従来のモータでは、モータハウジング２はアルミニウムまたはその合金から形成され、ピン２８はステンレスまたは鉄から形成されている。そして、ピン２８の固定は、ハウジング２の所定部位に取付孔を形成し、この取付孔に対応するピン２８を圧入によって行われている。それ故に、ピン２８を固定するための作業が煩雑であり、その作業のための時間を要し、作業性の改善が望まれていた。また、ピン２８をハウジング２の環状外周壁８に垂直に圧入するために、その作業に熟練を要し、この点からも作業性の改善が望まれていた。
【０００５】
本発明の目的は、モータハウジングを案内するためのピンをこのハウジングに容易に設けることができるモータを提供することである。
【０００６】
【課題を解決するための手段】
本発明は、モータハウジングと、ロータ本体およびこれに装着されたロータマグネットを備え、前記モータハウジングに対して相対的に回転自在であるロータと、前記ロータマグネットに対向して配設されたステータと、モータを収容する装置に前記モータハウジングを移動自在に所定方向へ案内するための３個以上のピンと、を具備するモータにおいて、前記モータハウジングは、金属製のハウジング本体と、該ハウジング本体に装着される円環状のリングから構成され、前記３個以上のピンは、前記リングに周方向に均等に設けられ且つ合成樹脂の一体成形により形成されていることを特徴とするモータである。
【０００７】
このようなモータによれば、複数個のピンはリングと合成樹脂の一体成形により形成されるので容易に形成することができる。また、リングをハウジング本体に装着するのみで、複数個のピンを同時にハウジング本体に取付けることができる。
【０００８】
【発明の実施の形態】
以下、図１〜図３を参照して、本発明に従うモータの一実施形態について説明する。この実施形態では、着脱自在に装着される磁気ディスクを回転駆動するリムーバブル式磁気ディスク駆動装置用スピンドルモータに適用して説明する。
【０００９】
図１において、図示のモータは、モータハウジング５２と、このモータハウジング５２に対して相対的に回転自在であるロータ５４を備えている。モータハウジング５２は、ハウジング本体５６と、このハウジング本体５６に装着されるリング５８から構成されている。ハウジング本体５６は、アルミニウムもしくはその合金または鉄もしくは鉄を主成分とする材料、すなわち金属材料から形成され、リング５８は、後述するとおり合成樹脂材料から形成される。ハウジング本体５６は、円形状の本体部６０を有し、この本体部６０の外周部には、ロータ５４の周囲を覆うように外周壁６２が設けられている。また、本体部６０の中央部には円形孔が形成されており、この本体部６０の内周部には、外周壁６２と同心状に延びる内周壁６４が設けられている。ハウジング本体５６およびリング５８の詳細な構成については後述する。
【００１０】
ハウジング本体５６の内周壁６４の内周面には、一対の軸受６６，６８を介して軸部材７０が回転自在に支持されている。軸部材７０の一端部は片方の軸受６６から上方に突出しており、この突出端部にスリーブ部材７２を介してロータ５４が装着されている。ロータ５４は、カップ状のロータ本体７４を備えている。ロータ本体７４は鉄等の磁性材料から形成され、スリーブ部材７２に固定された円形状の上端壁部７５と、上端壁部７５の外周部からハウジング本体５６の外周壁６２に沿って延びる周壁部７６を有している。ロータ本体７４の周壁部７６の内周面には環状のロータマグネット７８が装着されている。また、ロータ本体７４の上端壁部７５には、上方に突出する環状位置付け突部８０が設けられ、この位置付け突部８０の内側にディスク載置リング８２が配設され、このリング８２のさらに内側に薄い環状のクランプマグネット８４が配設され、ディスク載置リング８２およびクランプマグネット８４が上端壁部７５に接着剤等によって固定される。磁気ディスク（図示せず）は、磁気ディスク駆動装置に着脱自在に装着されるとクランプマグネット８４の磁気的作用によってロータ本体７４の上端壁部７５に向けて吸引され、ディスク載置リング８２の上面に載置され、ロータ本体７４と一体的に所定方向に回転駆動される。
【００１１】
ロータマグネット７８に対向してその内側にステータ８６が配設されている。ステータ８６はステータコア８８とこのステータコア８８に所要のとおりに巻かれたコイル９０から構成され、ステータコア８８がハウジング本体５６の内周壁６４の外周面に固定されている。したがって、コイル９０に所要のとおりの電流を送給することにより発生するステータ８６とロータマグネット７８との相互磁気作用によってロータ５４は所定方向に回転駆動される。
【００１２】
上述したモータは、着脱自在に装着される磁気ディスクの装着、離脱に関連してモータ全体が記録位置と非記録位置との間を移動自在に磁気ディスク駆動装置に組付けられる。さらに説明すると、駆動装置側には、中空円筒状の案内壁９２が設けられている。案内壁９２の内径は、モータハウジング５２の外径、すなわちリング５８の外径よりも若干大きく、モータハウジング５２を案内壁９２の内周面に沿って案内する。案内壁９２は、図１において上下方向に延びており、この案内壁９２には、モータの移動方向、本実施形態では上下方向に延びる案内スリット９４が、周方向に実質上等間隔を置いて３個設けられている（図１において１個のみ示す）。一方、モータハウジング５２には、案内壁９２の各スリット９４に対応して、ピン９６が３個設けられ（図２参照）、これらピン９６が対応する案内スリット９４内に受入れられている。ピン９６は、その直径が案内スリット９４の幅よりも若干小さく、案内スリット９４内をこれに沿って移動することができる。
【００１３】
このように構成されているので、磁気ディスク（図示せず）を装着していない状態においては、モータハウジング５２のピン９６は対応する案内スリット９４の下端に位置し、これによってモータ全体は、図１に示す非記録位置（この位置においては、磁気ディスクはディスク載置リング８２から離脱される）に保持される。そして、磁気ディスクを着脱自在に装着すると、磁気ディスクの装着方向の移動に連動して、図示していない連動機構を介してモータハウジング５２が図１において上方に移動され、モータ全体は、ピン９６が案内スリット９４の上端部に位置する記録位置（この位置においては、磁気ディスクがディスク載置リング８２に載置される）に位置付けられる。
【００１４】
次に、モータ全体を移動させるためのピン９６に関連する構成について説明する。図１とともに図２および図３を参照して、リング５８は、環状のリング本体９８を備えている。３個のピン９６は、リング本体９８の外周面に周方向に実質上等間隔（実施形態では１２０度の間隔）を置いて設けられている。各ピン９６は、リング本体９８から半径方向外方に突出している。本実施形態では、３個のピン９６のうち１つ（図２において左側に位置するもの）は他の２個のものよりも長さが長く設定されており、長さの長い特定のピン９６は、モータハウジング５２をスリット９４に沿って案内するとともにモータ全体の案内壁９２に対する相対的回動を阻止する作用を有する。これに対して、残りの２個のピン９６は、モータハウジング５２をスリット９４に沿って案内する作用を有するのみである。
【００１５】
リング本体９８には、各ピン９６に対応して、その上端部から上方に突出する位置決め突部１００が設けられている。位置決め突部１００は矩形状であり、それらの平坦な上端面は、実質上水平に延びる同一の当接面を規定する。リング本体９８における、隣接する位置決め突部１００の間の部位には、半径方向内方に突出する係合爪１０２が設けられ、係合爪１０２は隣接する位置決め突部１００間に渡って周方向に延びている。位置決め突部１００および係合爪１０２は、ピン９６とともにリング本体９８と一体に合成樹脂の一体成形によって形成されている。したがって、ピン９６、位置決め突部１００および係合爪１０２を容易に形成することができ、また位置決め突部１００および係合爪１０２に幾分かの弾性を持たせることができる。本実施形態では、ピン９６は、リング本体９８に周方向に間隔を置いて３個設けられているが、これに限定されず、その周方向に間隔を置いて４個以上設けることもでき、４個以上設けた場合にも、各ピン９６に対応して位置決め突部１００を設けるのが望ましい。
【００１６】
一方、図１に示すように、ハウジング本体５６の上端部には、半径方向外方に突出する環状フランジ１０４が設けられている。また、ハウジング本体５６の外周面には、フランジ１０４の下側に環状凹部１０６が設けられている。
【００１７】
上述したリング５８は、次のとおりにしてハウジング本体５６に装着される。すなわち、リング５８は、ハウジング本体５６の下側からこれに被嵌することによって装着される。リング５８をハウジング本体５６に装着すると、図１に示すとおり、リング本体９８の係合爪１０２が幾分弾性変形した状態でハウジング本体５６の環状凹部１０６に係合し、環状凹部１０６と係合爪１０２の係合によって、リング５８のハウジング本体５６からの離脱が防止される。また、かく装着すると、係合爪１０２の弾性変形によって、各位置決め突部１００の上端面がハウジング本体５６のフランジ１０４に弾性的に圧接され、フランジ１０４の下面を基準にして各ピン９６は所定の位置に正確に位置決めされる。本実施形態では、位置決め突部１００がフランジ１０４に圧接されているので、各ピン９６に上下方向の負荷、特にハウジング本体５６に対してリング本体９８を相対的に上方に移動せしめる負荷が作用しても、位置決め突部１００によってリング本体９８の弾性変形が防止され、各ピン９６は変位することなく所定位置に保持される。
【００１８】
この実施形態では、ピン９６の変位を一層確実に防止するために、ピン９６に対応する部位に厚肉部１０８が設けられている。厚肉部１０８は、その略中央部にピン９６が配置された矩形状であり、各厚肉部１０８の上端から位置決め突部１００が上方に延びている。各厚肉部１０８の半径方向の肉厚は、他の部分よりも厚くなっており、かく肉厚を厚くすることによって、ピン９６近傍の部位の強度を大きくし、リング本体９８の負荷による弾性変形を防止している。そして、リング本体９８の厚肉部１０８に対応して、ハウジング本体５６の外周壁６２の外周面の所定部位には、矩形状の収容凹部１１０が設けられており、リング本体９８の厚肉部１０８が対応する収容凹部１１０に収容され、これによってモータハウジング５２の半径方向の大きさを小さくすることができる。また、厚肉部１０８が収容凹部１１０に収容されるので、ハウジング本体５６とリング５８とが係合状態となり、両者の相対的移動が阻止される。
【００１９】
かくのとおりのモータにおいては、ハウジング本体５６にリング５８を装着することによってモータハウジング５２に複数個のピン９６を設けることができ、比較的簡単にかつ容易にピン９６を設けることができる。また、リング５８をモータハウジング５２に取付ける作業は容易であり、作業の熟練を必要とせず、簡単に行うことができる。
【００２０】
以上、本発明に従うモータの一実施形態について説明したが、本発明はこの実施形態に限定されず、本発明の範囲を逸脱することなく、種々の変形、修正が可能である。
【００２１】
たとえば、本実施形態では、位置決め突部１００が圧接されるフランジ１０４がハウジング本体５６の外周壁６２に環状に設けられているが、環状である必要はなく、各位置決め突部１００に対応して設けるようにしてもよい。また、実施形態では、係合爪１０２が係合される凹部１０６も外周壁６２に環状に設けているが、これについても係合爪１０２に対応して設けるようにしてもよい。
【００２２】
また、本実施形態では、位置決め突部１００は各ピン９６に対応して設けているが、これに限定されず、リング本体９８の上端部に、フランジ１０４に対応して環状に設けるようにすることもできる。この場合には、係合爪１０２は、たとえば位置決め突部１００の内周面に実質上連続して、または周方向に間隔を置いて設けることができる。
【００２３】
また、本実施形態では、リームーバブル式磁気ディスク駆動装置用スピンドルモータに適用して説明したが、かかる形態のモータに限定されることなく、着脱自在に装着される記録ディスクの装着動作に連動して非記録位置と記録位置との間を移動されるモータに広く適用することができる。
【００２４】
【発明の効果】
本発明の請求項１のモータによれば、複数個のピンはハウジング本体に装着されるリングと合成樹脂の一体成形により形成されるので容易に形成することができる。また、リングをハウジング本体に装着するのみで、複数個のピンを同時にハウジング本体に取付けることができ、ピンを設けるための作業も簡単かつ容易である。
【００２５】
また本発明の請求項２のモータによれば、リングをハウジング本体に装着されると、リング本体の係合爪がハウジング本体の環状凹部に係合するので、リング本体のハウジング本体からの離脱が防止される。また、各ピンに対応して、ハウジング本体の環状フランジに圧接される位置決め突部が設けられているので、ピンに負荷が作用してもその変位が抑えられ、さらにフランジの面を基準として各ピンの位置が決定され、各ピンは正確に所定位置に保持される。
【００２６】
さらに本発明の請求項３のモータによれば、リング本体には各ピンに対応して厚肉部が設けられているので、ピンが設けられた部位の強度が大きくなり、各ピンの変位を一層防止することができる。また、厚肉部を収容する収容凹部が設けられているので、モータハウジングの半径方向の大きさを抑えることができ、さらにハウジング本体とリング本体の相対的回動も阻止される。
【図面の簡単な説明】
【図１】本発明に従うモータを磁気ディスク駆動装置用スピンドルモールに適用した一実施形態を示す断面図である。
【図２】図１のモータにおけるリングを示す平面図である。
【図３】図２のリングの一部を切欠いて示す部分拡大斜視図である。
【図４】従来のモータの一例を示す断面図である。
【符号の説明】
２，５２  モータハウジング
４，５４  ロータ
８，６２  外周壁
１２，１４，６６，６８  軸受
２０，７４  ロータ本体
２２，７８  ロータマグネット
２４，８４  クランプマグネット
２６，８６  ステータ
２８，９６  ピン
５６  ハウジング本体
５８  リング
９２  案内壁
９８  リング本体
１００  位置決め突部
１０２  係合爪
１０４  フランジ
１０６  環状凹部
１０８  厚肉部
【図１】
0003698837.tif 000002
【図２】
0003698837.tif 000003
【図３】
0003698837.tif 000004
【図４】
0003698837.tif 000005